(57)【要約】【課題】無線基地局ＤｅＮＢ配下で「ＲＲＣ_Ｃｏｎｎｅｃｔｅｄ状態」にあるリレーノードＲＮが、Ｕｎインターフェイスにおいて、ＲＬＦを検出した場合、Ｒｎ-Ｕｕインターフェイスを適切に停止する。【解決手段】本発明に係る移動通信方法は、無線基地局ＤｅＮＢ配下で「ＲＲＣ_Ｃｏｎｎｅｃｔｅｄ状態」にあるリレーノードＲＮが、ＲＬＦを検出した場合、リレーノードＲＮ配下で「ＲＲＣ_Ｃｏｎｎｅｃｔｅｄ状態」にある移動局ＵＥに対して、「ＲＲＣ  Ｃｏｎｎｅｃｔｉｏｎ  Ｒｅｌｅａｓｅ」を送信する工程と、移動局ＵＥが、「ＲＲＣ  Ｃｏｎｎｅｃｔｉｏｎ  Ｒｅｌｅａｓｅ」に応じて、「ＲＲＣ_Ｉｄｌｅ状態」に遷移する工程と、リレーノードＲＮが、「ＲＲＣ  Ｃｏｎｎｅｃｔｉｏｎ  Ｒｅｌｅａｓｅ」を送信してから所定時間経過後に、「ＲＲＣ_Ｉｄｌｅ状態」に遷移する工程とを有する。【選択図】図３
2012023578.tif 000002
【特許請求の範囲】
【請求項１】
無線基地局配下で接続状態にあるリレーノードが、該無線基地局との間の無線リンクにおける障害を検出した場合、該リレーノード配下で接続状態にある移動局に対して、コネクション解放信号を送信する工程と、
前記移動局が、前記コネクション解放信号に応じて、アイドル状態に遷移する工程と、
前記リレーノードが、前記コネクション解放信号を送信してから所定時間経過後に、アイドル状態に遷移する工程とを有することを特徴とする移動通信方法。
【請求項２】
前記リレーノードは、前記コネクション解放信号を送信した際に所定タイマを起動し、該所定タイマの満了後に、アイドル状態に遷移することを特徴とする請求項１に記載の移動通信方法。
【請求項３】
リレーノードであって、
無線基地局配下で接続状態にある場合に、該無線基地局との間の無線リンクにおける障害を検出した場合、前記リレーノード配下で接続状態にある移動局に対して、コネクション解放信号を送信するように構成されている送信部と、
前記送信部によって前記コネクション解放信号が送信されてから所定時間経過後に、アイドル状態に遷移するように構成されている状態制御部とを具備することを特徴とするリレーノード。
【請求項４】
前記状態制御部は、前記送信部によって前記コネクション解放信号が送信された際に所定タイマを起動し、該所定タイマの満了後に、アイドル状態に遷移するように構成されていることを特徴とする請求項３に記載のリレーノード。
【発明の詳細な説明】
【技術分野】
【０００１】
本発明は、移動通信方法及びリレーノードに関する。
【背景技術】
【０００２】
ＬＴＥ（Ｌｏｎｇ  Ｔｅｒｍ  Ｅｖｏｌｕｔｉｏｎ）-Ａｄｖａｎｃｅｄ方式の移動通信システムでは、リレーノードＲＮを設置することができる。
【０００３】
かかる移動通信システムでは、リレーノードＲＮは、無線基地局ＤｅＮＢとの間で、Ｕｎインターフェイスを介して、ＲＲＣ（Ｒａｄｉｏ  Ｒｅｓｏｕｒｃｅ  Ｃｏｎｔｒｏｌ）コネクションを設定することによって、無線基地局ＤｅＮＢ配下で「ＲＲＣ_Ｃｏｎｎｅｃｔｅｄ状態」に遷移することができる。
【０００４】
また、かかる移動通信システムでは、移動局ＵＥは、リレーノードＲＮとの間で、ＲＮ-Ｕｕインターフェイスを介して、ＲＲＣコネクションを設定することによって、リレーノードＲＮ配下で「ＲＲＣ_Ｃｏｎｎｅｃｔｅｄ状態」に遷移することができる。
【先行技術文献】
【非特許文献】
【０００５】
【非特許文献１】３ＧＰＰ  ＴＳ３６.３３１  ５.３.３.１
【非特許文献２】３ＧＰＰ  Ｒ２-１０２６７１
【発明の概要】
【発明が解決しようとする課題】
【０００６】
かかる移動通信システムにおいて、無線基地局ＤｅＮＢ配下で「ＲＲＣ_Ｃｏｎｎｅｃｔｅｄ状態」にあるリレーノードＲＮが、Ｕｎインターフェイスにおいて、ＲＬＦ（Ｒａｄｉｏ  Ｌｉｎｋ  Ｆａｉｌｕｒｅ）を検出した場合、Ｕｎインターフェイスを停止するように構成されている。
【０００７】
しかしながら、現在のＬＴＥ-Ａｄｖａｎｃｅｄ方式では、かかる場合、Ｒｎ-Ｕｕインターフェイスを、どのように取り扱うべきかについて規定されていないという問題点があった。
【０００８】
そこで、本発明は、上述の課題に鑑みてなされたものであり、無線基地局ＤｅＮＢ配下で「ＲＲＣ_Ｃｏｎｎｅｃｔｅｄ状態」にあるリレーノードＲＮが、Ｕｎインターフェイスにおいて、ＲＬＦを検出した場合、Ｒｎ-Ｕｕインターフェイスを適切に停止することができる移動通信方法及びリレーノードを提供することを目的とする。
【課題を解決するための手段】
【０００９】
本発明の第１の特徴は、移動通信方法であって、無線基地局配下で接続状態にあるリレーノードが、該無線基地局との間の無線リンクにおける障害を検出した場合、該リレーノード配下で接続状態にある移動局に対して、コネクション解放信号を送信する工程と、前記移動局が、前記コネクション解放信号に応じて、アイドル状態に遷移する工程と、前記リレーノードが、前記コネクション解放信号を送信してから所定時間経過後に、アイドル状態に遷移する工程とを有することを要旨とする。
【００１０】
本発明の第２の特徴は、リレーノードであって、無線基地局配下で接続状態にある場合に、該無線基地局との間の無線リンクにおける障害を検出した場合、前記リレーノード配下で接続状態にある移動局に対して、コネクション解放信号を送信するように構成されている送信部と、前記送信部によって前記コネクション解放信号が送信されてから所定時間経過後に、アイドル状態に遷移するように構成されている状態制御部とを具備することを要旨とする。
【発明の効果】
【００１１】
以上説明したように、本発明によれば、無線基地局ＤｅＮＢ配下で「ＲＲＣ_Ｃｏｎｎｅｃｔｅｄ状態」にあるリレーノードＲＮが、Ｕｎインターフェイスにおいて、ＲＬＦを検出した場合、Ｒｎ-Ｕｕインターフェイスを適切に停止することができる移動通信方法及びリレーノードを提供することができる。
【図面の簡単な説明】
【００１２】
【図１】本発明の第１の実施形態に係る移動通信システムの全体構成図である。
【図２】本発明の第１の実施形態に係る無線基地局及びリレーノードの機能ブロック図である。
【図３】本発明の第１の実施形態に係る移動通信システムの動作を示すシーケンス図である。
【図４】本発明の第１の実施形態に係る移動通信システムの動作を示すフローチャートである。
【発明を実施するための形態】
【００１３】
（本発明の第１の実施形態に係る移動通信システム）
図１乃至図４を参照して、本発明の第１の実施形態に係る移動通信システムについて説明する。
【００１４】
図１に示すように、本実施形態に係る移動通信システムは、ＬＴＥ-Ａｄｖａｎｃｅｄ方式の移動通信システムであって、無線基地局ＤｅＮＢと、リレーノードＲＮとを具備している。
【００１５】
ここで、無線基地局ＤｅＮＢとリレーノードＲＮとの間は、Ｕｎインターフェイスによって接続されており、リレーノードＲＮと移動局ＵＥとの間は、ＲＮ-Ｕｕインターフェイスによって接続されている。
【００１６】
図２に示すように、リレーノードＲＮは、ＲＬＦ検出部１１と、送信部１２と、状態制御部１３とを具備している。
【００１７】
ＲＬＦ検出部１１は、リレーノードＲＮが、無線基地局ＤｅＮＢ配下で「ＲＲＣ_Ｃｏｎｎｅｃｔｅｄ状態」にある場合、ＵｎインターフェイスにおけるＲＬＦを検出するように構成されている。
【００１８】
例えば、ＲＬＦ検出部１１は、Ｕｎインターフェイスにおいて、タイマＴ３１０が満了した場合や、「Ｒａｎｄｏｍ  Ａｃｃｅｓｓ  ｐｒｏｂｌｅｍ」を検出した場合や、ＲＬＣ（Ｒａｄｉｏ  Ｌｉｎｋ  Ｃｏｎｔｒｏｌ）における再送回数が所定再送回数を超過した場合等に、ＲＬＦが発生したことを検出するように構成されている。
【００１９】
送信部１２は、ＲＬＦ検出部１１によってＲＬＦが検出された場合、リレーノードＲＮ配下で「ＲＲＣ_Ｃｏｎｎｅｃｔｅｄ状態」にある移動局ＵＥに対して、「ＲＲＣ  Ｃｏｎｎｅｃｔｉｏｎ  Ｒｅｌｅａｓｅ」を送信するように構成されている。
【００２０】
状態制御部１３は、リレーノードＲＮの状態遷移を制御するように構成されている。具体的には、状態制御部１３は、「ＲＲＣ_Ｃｏｎｎｅｃｔｅｄ状態」や「ＲＲＣ_Ｉｄｌｅ状態」等の間を遷移するように構成されている。
【００２１】
ここで、状態制御部１３は、送信部１２によって「ＲＲＣ  Ｃｏｎｎｅｃｔｉｏｎ  Ｒｅｌｅａｓｅ」が送信されてから所定時間経過後に、「ＲＲＣ_Ｉｄｌｅ状態」に遷移するように構成されている。
【００２２】
例えば、状態制御部１３は、送信部１２によって「ＲＲＣ  Ｃｏｎｎｅｃｔｉｏｎ  Ｒｅｌｅａｓｅ」が送信された際に所定タイマを起動し、所定タイマの満了後に、「ＲＲＣ_Ｉｄｌｅ状態」に遷移するように構成されていてもよい。
【００２３】
以下、図３及び図４を参照して、本実施形態に係る移動通信システムの動作について説明する。
【００２４】
図３及び図４に示すように、無線基地局ＤｅＮＢ配下で「ＲＲＣ_Ｃｏｎｎｅｃｔｅｄ状態」にあるリレーノードＲＮは、ステップＳ１０００において、タイマＴ３１０が満了したこと、「Ｒａｎｄｏｍ  Ａｃｃｅｓｓ  ｐｒｏｂｌｅｍ」、或いは、ＲＬＣにおける再送回数が所定再送回数を超過したことを検出し、ステップＳ１００１において、ＵｎインターフェイスにおけるＲＬＦを検出する。
【００２５】
ステップＳ１００２において、リレーノードＲＮは、リレーノードＲＮ配下で「ＲＲＣ_Ｃｏｎｎｅｃｔｅｄ状態」にある移動局ＵＥが存在するか否かについて判定する。
【００２６】
「ＹＥＳ」の場合、本動作は、ステップＳ１００３に進み、「ＮＯ」の場合、本動作は、ステップＳ１００５に進む。
【００２７】
ステップＳ１００３において、リレーノードＲＮは、リレーノードＲＮ配下で「ＲＲＣ_Ｃｏｎｎｅｃｔｅｄ状態」にある移動局ＵＥに対して、「ＲＲＣ  Ｃｏｎｎｅｃｔｉｏｎ  Ｒｅｌｅａｓｅ」を送信すると共に、所定タイマＴを起動する。
【００２８】
ステップＳ１００４において、移動局ＵＥは、受信した「ＲＲＣ  Ｃｏｎｎｅｃｔｉｏｎ  Ｒｅｌｅａｓｅ」に応じて、「ｌｅａｖｉｎｇ  ＲＲＣ_ＣＯＮＮＥＣＴＥＤ手順」を実行することによって、「ＲＲＣ_Ｉｄｌｅ状態」に遷移する。
【００２９】
ステップＳ１００５において、リレーノードＲＮは、所定タイマＴの満了後に、「ｌｅａｖｉｎｇ  ＲＲＣ_ＣＯＮＮＥＣＴＥＤ手順」を実行することによって、「ＲＲＣ_Ｉｄｌｅ状態」に遷移する。
【００３０】
なお、リレーノードＲＮは、ステップＳ１００２において、リレーノードＲＮ配下で「ＲＲＣ_Ｃｏｎｎｅｃｔｅｄ状態」にある移動局ＵＥが存在しないと判定した場合には、ステップＳ１００５において、直ちに、「ｌｅａｖｉｎｇ  ＲＲＣ_ＣＯＮＮＥＣＴＥＤ手順」を実行することによって、「ＲＲＣ_Ｉｄｌｅ状態」に遷移する。
【００３１】
本実施形態に係る移動通信システムによれば、無線基地局ＤｅＮＢ配下で「ＲＲＣ_Ｃｏｎｎｅｃｔｅｄ状態」にあるリレーノードＲＮが、Ｕｎインターフェイスにおいて、ＲＬＦを検出した場合、リレーノードＲＮ配下で「ＲＲＣ_Ｃｏｎｎｅｃｔｅｄ状態」にある移動局ＵＥに対して「ＲＲＣ  Ｃｏｎｎｅｃｔｉｏｎ  Ｒｅｌｅａｓｅ」を送信してから所定時間経過後に、「ＲＲＣ_Ｉｄｌｅ状態」に遷移することによって、Ｒｎ-Ｕｕインターフェイスを適切に停止することができる。
【００３２】
以上に述べた本実施形態の特徴は、以下のように表現されていてもよい。
【００３３】
本実施形態の第１の特徴は、移動通信方法であって、無線基地局ＤｅＮＢ配下で「ＲＲＣ_Ｃｏｎｎｅｃｔｅｄ状態（接続状態）」にあるリレーノードＲＮが、ＲＬＦ（無線基地局との間の無線リンクにおける障害）を検出した場合、リレーノードＲＮ配下で「ＲＲＣ_Ｃｏｎｎｅｃｔｅｄ状態」にある移動局ＵＥに対して、「ＲＲＣ  Ｃｏｎｎｅｃｔｉｏｎ  Ｒｅｌｅａｓｅ（コネクション解放信号）」を送信する工程と、移動局ＵＥが、「ＲＲＣ  Ｃｏｎｎｅｃｔｉｏｎ  Ｒｅｌｅａｓｅ」に応じて、「ＲＲＣ_Ｉｄｌｅ状態（アイドル状態）」に遷移する工程と、リレーノードＲＮが、「ＲＲＣ  Ｃｏｎｎｅｃｔｉｏｎ  Ｒｅｌｅａｓｅ」を送信してから所定時間経過後に、「ＲＲＣ_Ｉｄｌｅ状態」に遷移する工程とを有することを要旨とする。
【００３４】
本実施形態の第１の特徴において、リレーノードＲＮは、「ＲＲＣ  Ｃｏｎｎｅｃｔｉｏｎ  Ｒｅｌｅａｓｅ」を送信した際に所定タイマを起動し、所定タイマの満了後に、「ＲＲＣ_Ｉｄｌｅ状態」に遷移してもよい。
【００３５】
本実施形態の第２の特徴は、リレーノードＲＮであって、無線基地局ＤｅＮＢ配下で「ＲＲＣ_Ｃｏｎｎｅｃｔｅｄ状態」にある場合に、ＲＬＦを検出した場合、リレーノードＲＮ配下で「ＲＲＣ_Ｃｏｎｎｅｃｔｅｄ状態」にある移動局ＵＥに対して、「ＲＲＣ  Ｃｏｎｎｅｃｔｉｏｎ  Ｒｅｌｅａｓｅ」を送信するように構成されている送信部１２と、送信部１２によって「ＲＲＣ  Ｃｏｎｎｅｃｔｉｏｎ  Ｒｅｌｅａｓｅ」が送信されてから所定時間経過後に、「ＲＲＣ_Ｉｄｌｅ状態」に遷移するように構成されている状態制御部１３とを具備することを要旨とする。
【００３６】
本実施形態の第２の特徴において、状態制御部１３は、送信部１２によって「ＲＲＣ  Ｃｏｎｎｅｃｔｉｏｎ  Ｒｅｌｅａｓｅ」が送信された際に所定タイマを起動し、所定タイマの満了後に、「ＲＲＣ_Ｉｄｌｅ状態」に遷移するように構成されていてもよい。
【００３７】
なお、上述の無線基地局ＤｅＮＢやリレーノードＲＮや移動局ＵＥの動作は、ハードウェアによって実施されてもよいし、プロセッサによって実行されるソフトウェアモジュールによって実施されてもよいし、両者の組み合わせによって実施されてもよい。
【００３８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００３９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ＤｅＮＢやリレーノードＲＮや移動局ＵＥ内に設けられていてもよい。また、かかる記憶媒体及びプロセッサは、ディスクリートコンポーネントとして無線基地局ＤｅＮＢやリレーノードＲＮや移動局ＵＥ内に設けられていてもよい。
【００４０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００４１】
ＵＥ…移動局
ＤｅＮＢ…無線基地局
ＲＮ…リレーノード
１１…ＲＬＦ検出部
１２…送信部
１３…状態制御部
【図１】
2012023578.tif 000003
【図２】
2012023578.tif 000004
【図３】
2012023578.tif 000005
【図４】
2012023578.tif 000006